【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
帯状のウェブを搬送するウェブ搬送において、前記ウェブの両端部を、ローラ両端部がローラ中央部より大径に形成された段差ローラの前記ローラ両端部と、一対のニップローラとでニップすると共に、該一対のニップローラの向きを前記ウェブの搬送方向に対して逆ハの字状に拡張し、
前記逆ハの字状に拡張するニップローラの拡張角は、ウェブの搬送テンションが１００Ｎ以下の場合には、ニップローラの拡張角を１°以上〜３°以下に設定し、そのときのニップ圧を１０Ｐａ以上３０Ｐａ以下に設定すると共に、
ウェブの搬送テンションが１００Ｎを超えて１５０Ｎ以下の場合には、ニップローラの拡張角を３°を超えて３０°未満に設定し、そのときのニップ圧を３０Ｐａを超えて６０Ｐａ以下に設定することを特徴とするウェブ搬送方法。
【請求項２】
前記ウェブは前記段差ローラに対して所定のラップ角度を有すると共に、前記ニップローラはラップ開始位置直前で前記ウェブをニップすることを特徴とする請求項１に記載のウェブ搬送方法。
【請求項３】
前記ラップ開始位置からラップ終了位置の間の任意位置に配置した更に別のニップローラで前記ウェブをニップすることを特徴とする請求項２に記載のウェブ搬送方法。
【請求項４】
前記ウェブは光学フィルムであって、光学特性を有する機能面が前記段差ローラ側に面していることを特徴とする請求項１〜３のいずれか１に記載のウェブ搬送方法。
【請求項５】
帯状のウェブを減圧室内で搬送するウェブ搬送において、
前記ウェブの両端部を、ローラ中央部よりも大径に形成されたローラ両端部で支持する段差ローラと、
前記段差ローラのローラ両端部との間で前記ウェブの両端部をそれぞれニップすると共に、前記ウェブの搬送方向に対して逆ハの字状の拡張角を有して配置された一対のニップローラと、を備えたことを特徴とするウェブ搬送装置。
【請求項６】
前記ウェブは前記段差ローラに対して所定のラップ角度を有すると共に、ラップ開始位置直前に前記ウェブをニップする一対のニップローラが配置されることを特徴とする請求項５に記載のウェブ搬送装置。
【請求項７】
前記ニップローラは、並列配置された複数個のローラで構成されることを特徴とする請求項５又は６に記載のウェブ搬送装置。
【請求項８】
前記複数個配列されたローラの拡張角は、内側に配置されたローラよりも外側に配置されたローラの方が大きいことを特徴とする請求項７に記載のウェブ搬送装置。
【手続補正２】
【補正対象書類名】明細書
【補正対象項目名】００１０
【補正方法】変更
【補正の内容】
【００１０】
本発明の請求項１は、前記目的を達成するために、帯状のウェブを搬送するウェブ搬送において、前記ウェブの両端部を、ローラ両端部がローラ中央部より大径に形成された段差ローラの前記ローラ両端部と、一対のニップローラとでニップすると共に、該一対のニップローラの向きを前記ウェブの搬送方向に対して逆ハの字状に拡張し、前記逆ハの字状に拡張するニップローラの拡張角は、ウェブの搬送テンションが１００Ｎ以下の場合には、ニップローラの拡張角を１°以上〜３°以下に設定し、そのときのニップ圧を１０Ｐａ以上３０Ｐａ以下に設定すると共に、ウェブの搬送テンションが１００Ｎを超えて１５０Ｎ以下の場合には、ニップローラの拡張角を３°を超えて３０°未満に設定し、そのときのニップ圧を３０Ｐａを超えて６０Ｐａ以下に設定することを特徴とするウェブ搬送方法を提供する。
【手続補正３】
【補正対象書類名】明細書
【補正対象項目名】００１１
【補正方法】変更
【補正の内容】
【００１１】
本発明の請求項１によれば、ローラ中央部よりも大径に形成されたローラ両端部で支持されながら搬送されるウェブの両端部を、一対のニップローラでニップすると共に、該一対のニップローラの向きをウェブの搬送方向に対して逆ハの字状に拡張するようにしたので、ウェブは幅方向外側に拡がろうとする力を受けながら搬送される。したがって、段差ローラでウェブを搬送しても、ウェブ中央部が垂れ下がって皺になることがない。また、従来のように、ローラ中央部からエアーを噴出してウェブ中央部が垂れ下がるのを防止する機構ではないので、大気条件下、真空条件下のウェブ搬送の環境条件に関係なく使用できる。
また、ニップローラの拡張角はウェブの搬送テンションが１００Ｎを境に異なる傾向にあり、ウェブの搬送テンションが１００Ｎ以下の場合には１°以上〜３°以下で、そのときのニップ圧を１０Ｐａ以上３０Ｐａ以下に設定すると、ウェブの幅方向外側への拡張効果が良くなる。また、ウェブの搬送テンションが１００Ｎを超えて１５０Ｎ以下の場合には、ニップローラの拡張角を３°を超えて３０°未満に設定し、そのときのニップ圧を３０Ｐａを超えて６０Ｐａ以下に設定すると、ウェブの幅方向外側への拡張効果が良くなる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
請求項４は請求項１〜３のいずれか１において、前記ウェブは光学フィルムであって、光学特性を有する機能面が前記段差ローラ側に面していることを特徴とする。
【手続補正８】
【補正対象書類名】明細書
【補正対象項目名】００２２
【補正方法】変更
【補正の内容】
【００２２】
本発明の請求項５は、前記目的を達成するために、帯状のウェブを減圧室内で搬送するウェブ搬送において、前記ウェブの両端部を、ローラ中央部よりも大径に形成されたローラ両端部で支持する段差ローラと、前記段差ローラのローラ両端部との間で前記ウェブの両端部をそれぞれニップすると共に、前記ウェブの搬送方向に対して逆ハの字状の拡張角を有して配置された一対のニップローラと、を備えたことを特徴とするウェブ搬送装置を提供する。
【手続補正９】
【補正対象書類名】明細書
【補正対象項目名】００２３
【補正方法】変更
【補正の内容】
【００２３】
請求項５は、本発明を装置として構成したものであり、ローラ両端部がローラ中央部より大径に形成された段差ローラと、段差ローラのローラ両端部との間でウェブをそれぞれニップすると共に、ウェブの搬送方向に対して逆ハの字状の拡張角を有して配置された一対のニップローラと、を備えたので、大気圧条件下、及び真空条件下のウェブ搬送の環境条件に関係なく、ウェブ中央部が垂れ下がって皺を発生しないようにウェブ搬送することができる。
【手続補正１０】
【補正対象書類名】明細書
【補正対象項目名】００２４
【補正方法】変更
【補正の内容】
【００２４】
請求項６は請求項５において、前記ウェブは前記段差ローラに対して所定のラップ角度を有すると共に、ラップ開始位置直前に前記ウェブをニップする一対のニップローラが配置されることを特徴とする。
【手続補正１１】
【補正対象書類名】明細書
【補正対象項目名】００２６
【補正方法】削除
【補正の内容】
【手続補正１２】
【補正対象書類名】明細書
【補正対象項目名】００２８
【補正方法】変更
【補正の内容】
【００２８】
請求項７は請求項５又は６において、前記ニップローラは、並列配置された複数個のローラで構成されることを特徴とする。
【手続補正１３】
【補正対象書類名】明細書
【補正対象項目名】００３０
【補正方法】変更
【補正の内容】
【００３０】
請求項８は請求項７において、前記複数個配列されたローラの拡張角は、内側に配置されたローラよりも外側に配置されたローラの方が大きいことを特徴とする。
【手続補正１４】
【補正対象書類名】明細書
【補正対象項目名】００３１
【補正方法】変更
【補正の内容】
【００３１】
請求項８によれば、複数個配列されたローラの拡張角は、内側に配置されたローラよりも外側に配置したローラの方が大きく、ウェブを幅方向外側に拡げる拡張力が徐々に外側に向くようにしたものである。
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】